(57)【要約】【課題】受信品質が悪いデジタル放送番組を録画した場合に、視聴者の視聴状況及び品質許容範囲と一致する品質評価を視聴者に提示するとともに、品質状況が悪い箇所を補完することができる録画装置及び録画方法を提供する。【解決手段】デジタル放送番組を受信して録画する録画装置１００であって、受信したデジタル放送番組の圧縮ＡＶデータを蓄積する番組蓄積部１０５と、圧縮ＡＶデータをデコードするとともに、ＡＶデコードエラー情報を出力するＡＶデコーダ（音声デコーダ１０６及び映像デコーダ１０７）と、録画時にＡＶデコーダを動作させてＡＶデコードエラー情報を取得し、ＡＶデコードエラー情報に基づいて録画品質評価情報を生成するとともに、番組蓄積部１０５に録画番組に対応させて録画品質評価情報を記憶させるデータ制御部１０４とを備える。【選択図】図１
2010067305.tif 000002
【特許請求の範囲】
【請求項１】
デジタル放送番組を受信して録画番組として録画する録画装置であって、
前記受信したデジタル放送番組の圧縮ＡＶデータを蓄積する番組蓄積部と、
前記圧縮ＡＶデータをデコードするとともに、ＡＶデコードエラー情報を出力するＡＶデコーダと、
録画時に前記ＡＶデコーダを動作させて前記ＡＶデコードエラー情報を取得し、
前記ＡＶデコードエラー情報に基づいて録画品質評価情報を生成するとともに、
前記番組蓄積部に前記録画番組に対応させて前記録画品質評価情報を記憶させるデータ制御部と、
を備えたことを特徴とする録画装置。
【請求項２】
デジタル放送番組とともに受信したデータ放送の圧縮文字図形データをデコードするとともに、文字図形デコードエラー情報を出力する文字図形データデコーダをさらに備え、
前記データ制御部は、録画時に前記文字図形デコーダを動作させて前記文字図形デコードエラー情報を取得し、前記文字図形デコードエラー情報に基づいて録画品質評価情報を生成するとともに、
前記番組蓄積部に前記録画番組に対応させて前記録画品質評価情報を記憶させることを特徴とする請求項１に記載の録画装置。
【請求項３】
前記データ制御部は、前記録画品質評価情報により補完が必要であると判断した録画番組の一部または全部を補完する補完データを取得し、
前記取得した補完データで前記番組蓄積部に蓄積された対応する録画番組の一部または全部を置き換えることを特徴とする請求項１または請求項２に記載の録画装置。
【請求項４】
前記データ制御部は、再放送番組を受信して前記補完データを取得することを特徴とする請求項３に記載の録画装置。
【請求項５】
前記データ制御部は、番組配信サーバから前記補完データを取得することを特徴とする請求項３に記載の録画装置。
【請求項６】
前記データ制御部は、蓄積メディアから前記補完データを取得することを特徴とする請求項３に記載の録画装置。
【請求項７】
デジタル放送番組を受信して録画装置の番組蓄積部に録画番組として録画する録画方法であって、
録画時にＡＶデコーダを動作させて前記デジタル放送番組のＡＶ圧縮データをデコードするＡＶデコードステップと、
前記ＡＶデコーダからＡＶデコードエラー情報を取得するＡＶデコードエラー情報取得ステップと、
前記取得したＡＶデコードエラー情報に基づいて録画品質評価情報を生成する録画品質情報生成ステップと、
前記番組蓄積部に前記録画番組に対応させて前記録画品質評価情報を記憶させる記憶ステップと、
を備えたことを特徴とする録画方法。
【発明の詳細な説明】
【技術分野】
【０００１】
本発明は、デジタル放送番組を録画する録画装置及び録画方法に関する。
【背景技術】
【０００２】
近年、デジタル放送の普及に伴い、次世代ＤＶＤレコーダやＨＤＤレコーダ等の放送番組をトランスポートストリームのまま保存したり、他のデジタルデータに変換して保存する録画装置が一般的になりつつある。また、デジタル放送において、同一番組が繰り返し放送される運用も少なからずあり、視聴者が一度録画に失敗しても別の時間帯の同一番組を録画することが可能となっている。
【０００３】
ところで、デジタル放送においては悪天候や伝送路不具合によって、トランスポートストリーム中のデジタルデータに欠落が起こり、結果として映像のブロックノイズや音声の異音等が生じて、視聴者に不利益を与えることがある。そして、上記のような録画装置を使って、放送番組を録画した場合、録画した段階では視聴者は異常に気づかず、録画した番組を再生して視聴した段階で初めて異常に気づくことが多い。特に、デジタル放送になったことにより、録画番組をライブラリーとして保存するニーズも増えており、視聴者からは、より高品質の映像と音声を録画できる録画装置が強く求められている。
【０００４】
このために、従来より、携帯端末や自動車等の携帯・移動体で階層伝送されたデジタル放送を受信し蓄積装置に記録し再生する場合において、受信電波の電界強度、Ｃ／Ｎ値、ＢＥＲ等の情報を基に受信品質を解析して受信品質リストを作成し、時間情報とともに記録媒体に記録しておく。そして、記録媒体からデジタル放送再生時に、受信品質リストを解析し、その解析結果に基づいて最適な階層サービスを選択して再生・表示する。これにより、携帯端末、あるいは自動車等でデジタル放送を記録時と同等の良好な再生が可能な方法が提案されている（例えば、特許文献１を参照）。
【０００５】
また、移動体向けデジタル放送用受信装置において、受信復調の際に得られる、受信レベルを一定に保持するためのＡＧＣ値及び復調処理の指標となるＢＥＲ値、受信したトランスストリームパケットのＣＲＣエラー検出情報及びトランスポートストリーム復号時のデコードエラー情報を取り込んで、それぞれ受信品質判断のパラメータとする。そして、各パラメータの値から総合的に、かつ段階的に受信状況、受信品質を評価判断して段階的に表示させ、また受信状況・品質が低い場合には視聴・記録ができない旨のワーニング表示を実行する。これにより、復調・デコードに十分な受信強度が得られている場合に、エラーが多発して視聴不能あるいは記録不能な状態となるような受信環境でも、受信品質を的確に識別表示することができる方法が提案されている（例えば、特許文献２を参照）。
【特許文献１】特開２００５−３１１５５０号公報
【特許文献２】特開２００６−２０２３６号公報
【発明の開示】
【発明が解決しようとする課題】
【０００６】
しかしながら、上記従来のデジタル放送受信装置（録画装置）では、受信したトランスポートストリームの復号過程で得られる情報のみを使って録画した番組の品位や品質を判断していたため、実際の視聴者の視聴状況（例えば、表示装置サイズ、スピーカスペック、アンプ使用状況等）及び視聴者の品位許容範囲と必ずしも一致しないという問題があった。
【０００７】
また、従来は受信品質が悪い録画番組に対して有効な補完手段がなく、視聴者は品質が悪い録画番組をそのまま視聴しなければならないという問題があった。
【０００８】
本発明は、上記課題を解決するためになされたもので、受信品質が悪いデジタル放送番組を録画した場合に、視聴者の視聴状況及び品質許容範囲と一致する品質評価を視聴者に提示するとともに、品質状況が悪い箇所を補完することができる録画装置及び録画方法を提供することを目的とする。
【課題を解決するための手段】
【０００９】
上記目的を達成するために、本発明の請求項１に係る録画装置は、デジタル放送番組を受信して録画番組として録画する録画装置であって、受信したデジタル放送番組の圧縮ＡＶデータを蓄積する番組蓄積部と、圧縮ＡＶデータをデコードするとともに、ＡＶデコードエラー情報を出力するＡＶデコーダと、録画時にＡＶデコーダを動作させてＡＶデコードエラー情報を取得し、ＡＶデコードエラー情報に基づいて録画品質評価情報を生成するとともに、番組蓄積部に録画番組に対応させて録画品質評価情報を記憶させるデータ制御部と、を備えたことを特徴とする。
【００１０】
このような構成により、単なる受信エラー情報だけでなくＡＶデコーダのデコードエラー情報を使用することにより、受信品質が悪いデジタル放送番組を録画した場合に、視聴者の視聴状況及び品質許容範囲と一致する録画品質評価を視聴者に提示することができる。
【００１１】
また本発明の請求項２に係る録画装置は、請求項１に係る録画装置において、デジタル放送番組とともに受信したデータ放送の圧縮文字図形データをデコードするとともに、文字図形デコードエラー情報を出力する文字図形データデコーダをさらに備え、データ制御部は、録画時に文字図形デコーダを動作させて文字図形デコードエラー情報を取得し、文字図形デコードエラー情報に基づいて録画品質評価情報を生成するとともに、番組蓄積部に録画番組に対応させて録画品質評価情報を記憶させることを特徴とする。
【００１２】
このような構成により、データ放送で受信する文字図形データをデコードする際の文字図形デコードエラー情報を品質評価に使用するので、さらに細かい録画品質評価が可能となる。
【００１３】
また本発明の請求項３に係る録画装置は、請求項１または請求項２に係る録画装置において、データ制御部は、録画品質評価情報により補完が必要であると判断した録画番組の一部または全部を補完する補完データを取得し、取得した補完データで番組蓄積部に蓄積された対応する録画番組の一部または全部を置き換えることを特徴とする。
【００１４】
このような構成により、録画品質の悪い録画番組の一部または全部をエラーの無い補完データで置き換えることができるので視聴者は、録画時にエラーがあった場合でも、エラーの無い品質のよい録画番組を再生して視聴できる。
【００１５】
また本発明の請求項４に係る録画装置は、請求項３に係る録画装置において、データ制御部は、再放送番組を受信して補完データを取得することを特徴とする。
【００１６】
このような構成により、視聴者は録画番組の一部または全部をエラーの無い再放送番組で置き換えることができるので、品質のよい録画番組を再生して視聴できる。
【００１７】
また本発明の請求項５に係る録画装置は、請求項３に係る録画装置において、データ制御部は、番組配信サーバから補完データを取得することを特徴とする。
【００１８】
このような構成により、視聴者は録画番組の一部または全部を番組配信サーバから配信される同一番組で置き換えることができるので、品質のよい録画番組を再生して視聴できる。
【００１９】
また本発明の請求項６に係る録画装置は、請求項３に係る録画装置において、データ制御部は、蓄積メディアから補完データを取得することを特徴とする。
【００２０】
このような構成により、視聴者は録画番組の一部または全部を蓄積メディアから取得した同一番組で置き換えることができるので、品質のよい録画番組を再生して視聴できる。
【００２１】
本発明の請求項７に係る録画方法は、デジタル放送番組を受信して録画装置の番組蓄積部に録画番組として録画する録画方法であって、録画時にＡＶデコーダを動作させてデジタル放送番組のＡＶ圧縮データをデコードするＡＶデコードステップと、ＡＶデコーダからＡＶデコードエラー情報を取得するＡＶデコードエラー情報取得ステップと、取得したＡＶデコードエラー情報に基づいて録画品質評価情報を生成する録画品質情報生成ステップと、番組蓄積部に録画番組に対応させて録画品質評価情報を記憶させる記憶ステップと、を備えたことを特徴とする。
【発明の効果】
【００２２】
受信品質が悪いデジタル放送番組を録画した場合に、視聴者の視聴状況及び品質許容範囲と一致する品質評価を視聴者に提示するとともに、品質状況が悪い箇所を補完することができる録画装置及び録画方法を提供することができる。
【発明を実施するための最良の形態】
【００２３】
以下、本発明の実施の形態について図面を参照しながら詳細に説明する。
【００２４】
（実施の形態１）
図１は、本実施の形態における録画装置１００のブロック構成図、図２はＭＰＥＧ２（Ｍｏｖｉｎｇ  Ｐｉｃｔｕｒｅ  Ｅｘｐｅｒｔｓ  Ｇｒｏｕｐ）におけるトランスポートストリーム（以下、「ＴＳストリーム」という）１２０のデータ構造を示す図である。図１及び図２を用いて、録画装置１００の構成及び各部の機能を説明する。録画装置１００は、アンテナ１１５、チューナ１１６、フロントエンド１０１、トランスポートデコーダ１０２、記憶部１０３、データ制御部１０４、大容量記憶部１０５、音声デコーダ１０６、映像デコーダ１０７、グラフィックス作成部１０８、映像合成部１０９、音声出力部１１０及び映像出力部１１１を備えている。
【００２５】
ここで、図２に示すように、ＴＳストリーム１２０は１８８バイトのＴＳパケット１２１から構成されており、それぞれのＴＳパケット１２１はＴＳヘッダ１２２とペイロード１２３から構成されている。ペイロード１２３にはＭＰＥＧ２方式で圧縮符号化された圧縮映像データ及び圧縮音声データが多重化されて含まれている。また、ＴＳヘッダ１２２には圧縮映像データ及び圧縮音声データをＴＳパケット１２１から抽出するための情報が含まれている。なお、以下の説明においてＭＰＥＧ２方式で圧縮符号化された圧縮映像データ及び圧縮音声データを総称して圧縮ＡＶデータまたはＭＰＥＧ２データと呼ぶことがある。
【００２６】
図１において、アンテナ１１５はデジタル放送波を受信する。チューナ１１６は、希望するチャンネルを選局してＲＦ（Ｒａｄｉｏ  Ｆｒｅｇｅｎｃｙ）信号を内部処理用のＩＦ（Ｉｎｔｅｒｍｅｄｉａｔｅ  Ｆｒｅｑｕｅｎｃｙ）信号に変換する。
【００２７】
フロントエンド１０１はチューナ１１６からＩＦ信号を受け取り、放送側で変調された信号を復調してＴＳストリームを抽出し、トランスポートデコーダ（以下、「ＴＳデコーダ」という）１０２に出力する。フロントエンド１０１では、受信した電波の強度（アンテナレベル）や、エラー訂正符号によって検出されたＢＥＲ（Ｂｉｔ  Ｅｒｒｏｒ  Ｒａｔｅ）等の情報から受信品質を監視することができる。
【００２８】
ＴＳデコーダ１０２は、放送番組受信時にはフロントエンド１０１で受信した番組のＴＳストリームを受け取り、ＴＳストリームからＴＳパケットを分離する。そして、このＴＳパケットのペイロードから圧縮音声データ及び圧縮映像データを抽出し、それぞれ音声デコーダ１０６及び映像デコーダ１０７に出力する。また、ＴＳデコーダ１０２はデータ制御部１０４を経由して大容量記憶部１０５に接続されており、視聴者が録画を選択すると、フロントエンド１０１から受け取ったＴＳストリームをそのまま大容量記憶部１０５に記憶する。さらに、ＴＳヘッダにはフロントエンド１０１で検出されたエラーフラグ（１ビット）が含まれており、ＴＳデコーダ１０２はこのエラーフラグを確認することによりＴＳパケット中にエラーがあったかどうかをチェックできる。以後、このエラーフラグでチェックできるエラーをＴＤエラーと呼ぶ。
【００２９】
音声デコーダ１０６は、放送番組を受信中や大容量記憶部１０５から録画番組を再生中にＴＳデコーダ１０２から受け取った圧縮音声データを復号してもとの音声データに戻し、音声出力部１１０に出力する。
【００３０】
映像デコーダ１０７は、放送番組を受信中や大容量記憶部１０５から録画番組を再生中にＴＳデコーダ１０２から受け取った圧縮映像データを復号してもとの映像データに戻し、映像合成部１０９に出力する。なお、以下の説明において、音声データと映像データを区別する必要のない時は、これらのデータを総称してＡＶデータと呼ぶことがある。また同様に、音声デコーダ１０６と映像デコーダ１０７を区別する必要のない時は、これらのデコーダを総称してＡＶデコーダと呼ぶことがある。
【００３１】
また、本実施の形態の録画装置１００では、放送番組の録画中もＡＶデコーダは動作しており、ＡＶデコーダから後述するＡＶデコードエラーを逐次収集できるようになっている。録画中に収集したＡＶデコードエラーを、予め設けていた閾値と比較することで、録画番組の品質を再生視聴する前に視聴者に提示することができる。
【００３２】
データ制御部１０４は、ＴＳデコーダ１０２からＴＳストリームを受け取り、記録保存するためのデータ処理を実行し、このＴＳストリームを大容量記憶部１０５に記録し保存する。また、再生時には、大容量記憶部１０５から再生されたＴＳストリームを受け取り、このＴＳストリームをＴＳデコーダ１０２に出力する。また、後述するように各種エラー情報を取得して録画品質を判定し、視聴者への警告、エラー部分の補完等の処理を制御実行する。
【００３３】
大容量記憶部１０５は、次世代ＤＶＤやＨＤＤ等からなる番組蓄積部であり、受信したデジタル放送番組をＴＳストリームのまま記憶保存する。
【００３４】
記憶部１０３は、フラッシュメモリ等の比較的容量の小さなメモリであり、大容量記憶部１０５に録画した番組のＴＳストリームに関するエラー情報（エラー情報については後で詳しく説明する）等を一時的に記憶しておくものである。後述するように、大容量記憶部１０５からＴＳストリームを再生する際に、このエラー情報を用いて必要な処理を実行する。
【００３５】
グラフィックス作成部１０８は、映像データに重畳してＯＳＤ（Ｏｎ  Ｓｃｒｅｅｎ  Ｄｉｓｐｌａｙ）表示する画像を作成する。
【００３６】
映像合成部１０９は、映像デコーダ１０７で復号された映像データにグラフィックス作成部１０８で作成した画像を合成する。
【００３７】
音声出力部１１０はデジタル音声データをアナログ音声信号に変換し、スピーカー（図示せず）から出力する。
【００３８】
映像出力部１１１は、デジタル映像データをプラズマディスプレイや液晶ディスプレイ等の表示装置へ出力する。
【００３９】
なお、上記各構成要素は、ハードウェア及びソフトウェアで実現されており、デバイスドライバ（デバイス制御ソフトウェア）によって制御される。
【００４０】
次に、音声デコーダ１０６及び映像デコーダ１０７で検出可能なＡＶデコードエラーについて詳しく説明する。ここでは、特に映像デコーダ１０７によって検出できるＡＶデコードエラーを例に説明する。
【００４１】
図２に示すペイロード１２３は、ＭＰＥＧ２データで構成されており、ＭＰＥＧ２データには受信番組の映像や音声に関する各種情報がヘッダ情報として含まれている。
【００４２】
図３は、ＭＰＥＧ２データの構造を示す図である。図３に示すようにＭＰＥＧ２データは階層構造となっており、シーケンスレイヤー１３０、ＧＯＰ（Ｇｒｕｏｕｐ  Ｏｆ  Ｐｉｃｔｕｒｅｓ）レイヤー１３１、ピクチャレイヤー１３２、スライスレイヤー１３３、マクロブロック（ＭＢ）レイヤー１３４、ブロックレイヤー１３５の６個の階層で構成されている。そして、それぞれの階層データの先頭には、その階層毎にデータの特性を示すヘッダが付加されている。それぞれのヘッダをシーケンスヘッダ、ＧＯＰヘッダ、ピクチャヘッダ、スライスヘッダ、マクロブロックヘッダ及びブロックヘッダと呼ぶ。
【００４３】
シーケンスレイヤー１３０は１つの映像に対応するＭＰＥＧ２データであり、シーケンスヘッダには、画面の垂直サイズ（Ｖｅｒｔｉｃａｌ  Ｓｉｚｅ）及び水平サイズ（Ｈｏｒｉｚｏｎｔａｌ  Ｓｉｚｅ）、アスペクト比、画像の表示周期、ビットレート、インタレース走査かプログレッシブ走査か等の主に映像フォーマットに関連する情報が記述される。
【００４４】
ＧＯＰレイヤー１３１はＩピクチャ、Ｂピクチャ、Ｐピクチャという３種類のピクチャ（映像フレーム）から構成され、ＧＯＰヘッダには、シーケンスの先頭からの時間を示すタイムコード等の情報が記述される。
【００４５】
ピクチャレイヤー１３２は複数のスライスから構成され、ピクチャヘッダには、各ピクチャの表示順、ＩピクチャかＢピクチャかＰピクチャかの区別を示すピクチャタイプ（Ｐｉｃｔｕｒｅ  Ｃｏｎｄｉｎｇ  Ｔｙｐｅ）、動きベクトルの情報、量子化マトリックスの係数情報、符号化の情報（ジグザグスキャンを使うかオルタネートスキャンを使うか）等が記述される。
【００４６】
スライスレイヤー１３３は複数のマクロブロックで構成され、スライスヘッダには、スライス位置の指定情報等が記述される。
【００４７】
マクロブロックレイヤー１３４は複数のブロックから構成され、マクロブロックヘッダには、フレーム／フィールドの予測タイプ、ＤＣＴ（離散コサイン）がフレームタイプかフィールドタイプか等の情報が記述される。
【００４８】
ブロックレイヤー１３５はＤＣＴ符号化データから構成されており、ブロックヘッダには、ＤＣＴ変換に関連する各種パラメータ情報が記述される。
【００４９】
これらのヘッダ情報にエラーが発生すると映像品質に大きな影響がある。例えば、ＭＰＥＧ２データの特定のマクロブロックにエラーが発生した場合は、そのマクロブロックに対応した映像部分のみが劣化するだけで済むが、上記ヘッダ情報にエラーが発生すると、映像フレーム全体あるいは、ＧＯＰシーケンス全体に亘って影響を受ける場合がある。これらのヘッダ情報は映像デコーダ１０７から直接取得できるようになっており、このヘッダ情報を見れば、ＴＳデコーダ１０２で取得できるＴＤエラー以外の種々の映像や音声特有のエラー情報を収集することができる。
【００５０】
ＴＳストリーム１２０の伝送中に何らかの障害によりＴＳストリーム１２０内のデータが欠損もしくは他のデータに書き換わることで、映像デコーダ１０７は以下のような異常な値を取得する。その際、映像デコーダ１０７はできるだけ正常と思われるデコード処理を行うが、判断がつかない情報に関しては、その種類によって、フレームデータを破棄、データ置き換え、補正等の処理でリカバリを実行する。この際のリカバリ処理と映像の見え方には相関関係があり、このようなエラーの単位時間あたりの回数等を得ることで、見え方の悪さを定量的に推測することができる。
【００５１】
以下、映像デコーダ１０７から取得する異常値の例を示す。
【００５２】
（１）画像サイズ
シーケンスヘッダに含まれるＶｅｒｔｉｃａｌ  ＳｉｚｅまたはＨｏｒｉｚｏｎｔａｌ  Ｓｉｚｅの値が不正な場合、例えば最大値を越えた異常値、または０等となる。
【００５３】
（２）画像種類
ピクチャヘッダに含まれるＩ、Ｐ、Ｂの３種類のいずれの画像タイプかを規定するＰｉｃｔｕｒｅ  Ｃｏｎｄｉｎｇ  Ｔｙｐｅの値が未定義の値が発生して不正となる。
【００５４】
（３）インタレース走査、プログレッシブ走査の定義
シーケンスヘッダに含まれるＰｒｏｇｒｅｓｓｉｖｅ  ＳｅｑｕｅｎｃｅとＧＯＰレイヤーのヘッダに含まれるＰｒｏｇｒｅｓｓｉｖｅ  Ｆｒａｍｅの値が不一致となる。例えば、片方がＩと定義され、もう片方がＰと定義される等である。
【００５５】
（４）量子化マトリックスの係数
ピクチャヘッダの量子化マトリックス係数が規定値よりも不足している。
【００５６】
（５）時刻情報
ＰＣＲの時刻情報と、ＰＴＳの時刻情報の関係が規定範囲になく、大幅に不一致を起こしている。例えば、ＰＣＲ値またはＰＴＳ値が不正値である。
【００５７】
次に、図４を用いて録画装置１００のアンテナ１１５による受信レベルと、受信エラーの関係を説明する。図４は、アンテナ１１５による受信レベルと、ＡＶデコードエラー数及びＴＤデコードエラー数の相関関係を示す図である。
【００５８】
図４において、横軸は経過時間、縦軸はアンテナレベル及び受信データのエラー数である。また、図面中の一点鎖線１５０はアンテナレベルを、実線１５１はＡＶデコードエラー数を、点線１５２はＴＤデコードエラー数をそれぞれ示す。また、アンテナレベル領域１４０は、ノイズがなくテレビ画面を見られる領域、アンテナレベル領域１４１は、テレビ画面にノイズが発生している領域、アンテナレベル領域１４２は、ノイズが多すぎてテレビ画面がブラックアウトや音声がなくなる領域をそれぞれ示している。
【００５９】
ここで、アンテナレベルとはアンテナが受信する電界強度のレベルであり、ＡＶデコードエラーとは、図１における音声デコーダ１０６及び映像デコーダ１０７で発生するデコードエラーであり、ＴＤデコードエラーとは、ＴＳデコーダ１０２が発生するエラーである。図４に示すように、アンテナレベル１５０がアンテナレベル領域１４０にある時はＡＶデコードエラーもＴＤデコードエラーも発生しないが、アンテナレベル１５０がアンテナレベル領域１４１に下がるとＡＶデコードエラーが発生し、アンテナレベル１５０がさらに下がってアンテナレベル領域１４２に達すると、ＴＤデコードエラーが発生する。
【００６０】
次に図５を用いて、本実施の形態の録画装置１００の録画動作を説明する。ここでは、録画装置１００に予め録画予約がされており録画予約に従って録画開始時刻で自動的に録画が開始し、録画終了時刻になると録画が自動終了する例で説明する。図５は、本実施の形態の録画装置１００の録画動作の手順を示すフローチャートである。
【００６１】
録画装置１００が録画を開始すると（ステップＳ１０１）、予め決めた一定時間だけ待つ（ステップＳ１０２）。次に、データ制御部１０４は、チューナ１１６のデバイスドライバが保持しているアンテナレベル及びＣ／Ｎ値の取得（ステップＳ１０３）、ＴＳデコーダ１０２のデバイスドライバが保持していたエラー数（ＴＤデコードエラー数）の取得（ステップＳ１０４）、音声デコーダ１０６のデバイスドライバが保持していた音声デコードエラー数の取得（ステップＳ１０５）、映像デコーダ１０７のデバイスドライバが保持していた映像デコードエラー数の取得（ステップＳ１０５）と一連のエラー情報を取得後にステップＳ１０７へ進む。
【００６２】
次に、ステップＳ１０７ではデータ制御部１０４はアンテナレベル値が所定の閾値よりも大きいか否かを確認する。アンテナレベル値が所定の閾値よりも大きい場合（「Ｙｅｓ」）、そのままステップＳ１０９に進み、アンテナレベル値が所定の閾値よりも小さい場合（「Ｎｏ」）、アンテナレベル値が所定の閾値よりも下がった時の時刻情報とアンテナレベル値を記憶部１０３の録画品質評価情報である録画エラーテーブルに保存して（ステップＳ１０８）ステップＳ１０９へ進む。
【００６３】
ステップＳ１０９では、データ制御部１０４はステップＳ１０４〜ステップＳ１０６において各デバイスドライバから取得したエラー数を記憶部１０３から読み出し、各種のエラーが存在しないか確認し、エラーが存在しない場合（「Ｙｅｓ」）、そのままステップＳ１１１に進む。エラーが存在する場合は（「Ｎｏ」）、各種のエラーが発生した時の時刻情報と各種エラー数を記憶部１０３の録画エラーテーブルに保存して（ステップＳ１１０）、ステップＳ１１１へ進む。
【００６４】
ステップＳ１１１では、録画終了時刻に達していないか否かを確認し、録画終了時刻に達していない場合（「Ｙｅｓ」）、ステップＳ１０２に戻ってこのステップを繰り返す。一方、録画終了時刻に達している場合（「Ｎｏ」）、録画エラーテーブルを記憶部１０３から読み出して、録画したＡＶデータに関連付けて大容量記憶部１０５に保存して（ステップＳ１１２）、録画を終了する（ステップＳ１１３）。
【００６５】
以上説明したように、本実施の形態における録画装置１００では、アンテナレベル値や各種エラー情報を録画したＡＶデータと関連付けた録画エラーテーブルとして大容量記憶部１０５に保存しておくので、再生に先立って録画エラーテーブルからエラー情報を読み出せば、録画時のエラー状況を容易に確認できる。従って、予め視聴者に警告を発したり、再生中の映像に警告表示をして視聴者に告知することが可能となる。また、エラー情報にはＡＶデコードエラー情報が含まれているので、単にエラーの個数のみでなく視聴者が実際に視聴して感じる録画品質を正確に反映することができる。
【００６６】
（実施の形態２）
図６は、本実施の形態における録画装置２００のブロック構成図である。図６が実施の形態１の図１と異なる点は、ＴＳデコーダ１０２と映像合成部１０９の間に文字図形デコーダ１１２が追加されたことである。それ以外の構成要素は図１と同じであるので同一符号を付して説明は省略する。実施の形態１では、ＡＶデコーダエラーを使って、録画品質を評価したが、本実施の形態の録画装置２００では、ＡＶデコードエラーに加えて、データ放送中の文字図形データのデコードエラーを使うものである。
【００６７】
図６において、文字図形デコーダ１１２はデータ放送中に含まれる圧縮文字図形データを復号するデコーダである。データ放送中の文字図形データは映像データがＭＰＥＧ２で圧縮されるのに対してＪＰＥＧ（Ｊｏｉｎｔ  Ｐｈｏｔｏｇｒａｐｈｉｃ  Ｅｘｐｅｒｔｓ  Ｇｒｏｕｐ）やＰＮＧ（Ｐｏｒｔａｂｌｅ  Ｎｅｔｗｏｒｋ  Ｇｒａｐｈｉｃｓ）方式の圧縮形式で伝送される。ＴＳデコーダ１０２で分離された圧縮文字図形データは文字図形デコーダ１１２で復号されて映像合成部１０９に出力される。映像合成部１０９は、映像デコーダ１０７でデコードされた映像データ、グラフィックス作成部１０８で作成されたグラフィックスデータ、文字図形デコーダ１１２でデコードされた文字図形データを合成して映像信号として映像出力部１１１へ出力する。
【００６８】
次に図７を用いて、本実施の形態の録画装置２００の録画動作を説明する。図７は、本実施の形態の録画装置２００の録画動作の手順を示すフローチャートである。図７が実施の形態１の図５と異なる点は、ステップＳ１０６とステップＳ１０７の間に、ステップＳ１２０が追加された点である。図７のそれ以外の処理ステップは図５と同じであるので同じ処理ステップには同一符号を付して説明を省略する。
【００６９】
図７において、ステップＳ１０１で録画装置２００が録画を開始した後、ステップＳ１０２〜ステップＳ１０６の処理の後にステップＳ１２０に進み、データ制御部１０４は文字図形デコーダ１１２のデバイスドライバが保持しているエラー数を取得する。続いて、ステップＳ１０７〜ステップＳ１１２までの処理ステップを経て録画を終了する。
【００７０】
以上説明したように、本実施の形態における録画装置２００では、実施の形態１のＡＶデコーダからのエラー情報に加えて、データ放送中に含まれる文字図形データのデコード時のエラー情報を使用するものであり、さらに詳細な録画品質の評価が可能となる。
【００７１】
（実施の形態３）
次に、実施の形態３について説明する。本実施の形態が実施の形態１または実施の形態２と異なる点は、図１または図６において大容量記憶部１０５の中に視聴者設定情報を記憶したことである。それ以外の構成は変わらないので構成ブロックの説明は省略する。実施の形態１及び実施の形態２では、音声デコーダ１０６、映像デコーダ１０７及び文字図形デコーダ１１２のデコードエラー情報を用いて録画品質を評価した。
【００７２】
本実施の形態では、さらに予め品質許容範囲を視聴者が設定しておき、この許容範囲に従ってエラー内容とその原因とからなる録画エラー情報と録画時刻を対応させてエラー情報テーブルを作成する。このエラー情報テーブルには、さらに録画済みのＡＶデータを置き換えるための情報も記述される。そして、このテーブルを番組情報とともに表示するものである。
【００７３】
図８は、本実施の形態における録画品質確認画面３０１の一例を示す図である。図８において、録画品質確認画面３０１は番組名、放送チャンネル、放送日、放送時間からなる放送番組情報３０２、録画番組の再生画像３０３、エラー情報テーブル３０４から構成されている。放送番組情報３０２の内容は、放送番組とともに送られてくるサービス情報（ＳＩ情報）を記憶部１０３に保存しており、その情報を使用する。エラー情報テーブル３０４は、再生状態表示欄３０５、エラー発生時刻欄３０６、録画エラー情報３０７及びＡＶデータ置き換え候補欄３０８から構成される。
【００７４】
再生状態表示欄３０５は、現在再生中の場所（時刻）を示す。エラー発生時刻欄３０６は、エラーが発生している箇所の開始時刻と終了時刻を示す。
【００７５】
録画エラー情報３０７は、エラーの内容及びエラーの予測原因を示す。エラー内容としては再生画面にブロックノイズが発生する状態（図４のアンテナレベル領域１４１に相当）、ブラックアウトや音切れが発生する状態（図４のアンテナレベル領域１４２に相当）が表示される。エラー原因としては、悪天候等が表示される。
【００７６】
ＡＶデータ置き換え候補欄３０８は、エラーが発生した場所のＡＶデータを置き換える候補が表示され、候補としては再放送番組、ネット配信番組及び次世代ＤＶＤやＨＤＤの蓄積メディアがある。なお、ＡＶデータ置き換え候補については後程、実施の形態４において詳しく説明する。
【００７７】
視聴者は、エラー情報テーブル３０４を確認することにより、録画した番組毎に詳細なエラー情報を把握することができる。従って、エラー個数だけでは判断が難しいエラー画像に対しても、エラー場所の再生画像３０３を視聴者自らの目で確認することにより、置き換える必要があるか否かを正確に判断することができる。
【００７８】
以上説明したように、本実施の形態では、録画番組のエラー状況を視聴者が容易に確認でき、置き換えが必要か否かを正確に判断することが可能となる。
【００７９】
（実施の形態４）
次に実施の形態４について説明する。実施の形態１〜実施の形態３では、受信した放送番組の品質状況をチェックし、録画品質が悪い場合は視聴者に警告をするものであった。本実施の形態は、受信品質の悪い番組があった場合に、当該番組の品質の悪い部分（エラー部分）の時刻情報を記憶しておき、対応する再放送番組のＡＶデータ、ネットワーク経由で番組配信サーバから取得したＡＶデータ、あるいは録画装置に備わっている次世代ＤＶＤやＨＤＤ等の蓄積メディアに蓄積されたＡＶデータでエラー部分を補完するものである。
【００８０】
以下、本実施の形態の３つの実施例について説明する。
【００８１】
まず、図９を用いて第１の実施例について説明する。第１の実施例は、エラー部分を再放番組のＡＶデータで補完する例である。図９は第１の実施例の補完処理の手順を示すフローチャートである。
【００８２】
図９において、まず補完動作を開始すると（ステップＳ２０１）、データ制御部１０４は既に保存されている録画エラー情報を持つ番組の番組情報をテーブルから取得する（ステップＳ２０２）。次に、放送予定の番組情報を現在取得可能な各放送（地上波デジタル、ＢＳ、ＣＳ、ＣＡＴＶ等）から取得する（ステップＳ２０３）。そして、この情報は、一旦、記憶部１０３に記憶される。次に、この情報を読み出して補完対象の番組と同一の番組が存在するか否かを確認し（ステップＳ２０４）、番組が存在しない場合（「Ｎｏ」）は、そのまま終了する（ステップＳ２０８）。
【００８３】
一方、補完対象の番組と同一の番組が存在する場合（「Ｙｅｓ」）は、ステップＳ２０５に進み、現在、大容量記憶部１０５に保存している録画番組を消去し新たに録画するか否かを決定する。ステップＳ２０５で消去すると決定した場合（「Ｙｅｓ」）は、録画している番組を消去する（ステップＳ２０６）。一方、ステップＳ２０５で現在の録画番組を消去しないと決定した場合（「Ｎｏ」）は、そのままステップＳ２０７に進む。ステップＳ２０７では、再放送の番組の録画予約を設定し、その後終了する（ステップＳ２０８）。
【００８４】
次に、図１０を用いて第２の実施例について説明する。第２の実施例は、エラー部分をネットワーク経由で受信したＡＶデータで補完する例である。図１０は第２の実施例の補完処理の手順を示すフローチャートである。
【００８５】
図１０において、補完動作が開始されると（ステップＳ３０１）、既に保存されている録画エラー情報を持つ番組の番組情報と保存形式情報をテーブルから取得する（ステップＳ３０２）。なお、保存形式とはＣｏｄｅｃ等の符号化方式のことである。次に、予め登録されている番組配信サーバ群から番組情報と保存形式情報を取得する（ステップＳ３０３）。録画装置は、事前にネットワークに接続されていて過去に放送された番組を配信する番組配信サーバと通信する環境があるものとする。録画装置は、配信予定の電子番組表を番組配信サーバから事前にダウンロードして記憶部１０３に記憶してある。次に、ステップＳ３０４で補完対象の番組と同一の番組が存在するか否かを判定し、同一の番組が存在しない場合（「Ｎｏ」）は、そのまま終了する（ステップＳ３１０）。
【００８６】
一方、ステップＳ３０４で同一の番組が存在する場合（「Ｙｅｓ」）は、ステップＳ３０５に進み、エラー部分に対応する一部のデータを置き換えるか否かを判定する。ステップＳ３０５で全て置き換える場合（「Ｎｏ」）は、ステップＳ３０９に移行する。ステップＳ３０５で一部置き換える場合（「Ｙｅｓ」）、Ｃｏｄｅｃ等の符号化方式情報が一致するかを判定する（ステップＳ３０６）。符号化方式が一致するものがある場合（「Ｙｅｓ」）、エラーがある部分のデータのみダウンロードし、置き換えて（ステップＳ３０７）終了する。
【００８７】
一方、ステップＳ３０６で符号化方式が一致するものがない場合（「Ｎｏ」）、一部置き換えはできないため全て置き換えるかを判定する（ステップＳ３０８）。全て置き換える場合（「Ｙｅｓ」）は、保存している番組を消去し、番組配信サーバからダウンロードして（ステップＳ３０９）終了する。
【００８８】
次に、図１１を用いて第３の実施例について説明する。第３の実施例は、エラー部分を次世代ＤＶＤやＨＤＤに録画済みの同一番組から補完する例である。図１１は第３の実施例の補完処理の手順を示すフローチャートである。
【００８９】
図１１において、補完動作が開始されると（ステップＳ４０１）、既に保存されている録画エラー情報を持つ番組の番組情報と保存形式情報をテーブルから取得する（ステップＳ４０２）。次に、搭載されているＨＤＤまたは挿入されているＢＤ（Ｂｌｕ−ｒａｙ  Ｄｉｓｃ）等から番組情報と保存形式情報を取得する（ステップＳ４０３）。次に、ステップＳ４０４で補完対象の番組と同一の番組が存在するか否かを判定し、同一の番組が存在しない場合（「Ｎｏ」）は、そのまま終了する（ステップＳ４１１）。
【００９０】
一方、ステップＳ４０４で同一の番組が存在する場合（「Ｙｅｓ」）、ステップＳ４０５に進み、Ｃｏｄｅｃ等の符号化方式情報が一致するかを判定する。符号化方式が一致するものがある場合（「Ｙｅｓ」）、エラー情報テーブル３０４のリストの一番上のエラー情報がある時刻にコピー元にエラー情報がないかを判定する（ステップＳ４０６）。ステップＳ４０６でコピー元にエラー情報がない場合（「Ｙｅｓ」）、一件分のデータの置き換えを実行し（ステップＳ４０７）、その後、ステップＳ４０９でエラー情報テーブル３０４の一番上を削除する。ステップＳ４０６でコピー元にエラー情報がある場合（「Ｎｏ」）、一件分のデータの置き換えを行わない（ステップＳ４０８）。
【００９１】
その後、ステップＳ４１０でエラー情報テーブル３０４のリスト上にエラー情報がまだ存在するかを判定する。エラー情報がまだ存在する場合（「Ｙｅｓ」）、ステップＳ４０６に戻って処理を繰り返す。リスト上にエラー情報が存在しなければ（「Ｎｏ」）終了する。
【００９２】
以上説明したように、本実施の形態では、録画品質が著しく悪い部分がある場合には、録画番組と同一の番組が放送予定にないか番組情報を検索し、自動的に録画しておく手段も備える。また、エラー情報を基に、データの欠損が起こっている箇所を特定できた場合、同一番組の該当部分を再度録画し欠落部分のデータのみ差し替えたり、番組配信サーバからその部分だけ再度取得しなおすことによって、録画番組を補完する手段を備える。
【００９３】
このように、本発明によれば、番組を録画した視聴者に、品質のよい録画ができたことを提示することで安心を与えることができる。もし録画品質が悪かった場合でも、視聴者が視聴することなしに即座にその情報を提示することができ視聴者に注意を促せる。また、同時に録画品質が悪かった番組のＡＶデータを、別途取得した当該ＡＶデータで補完することができる。
【産業上の利用可能性】
【００９４】
本発明は、デジタル放送を受信して圧縮符号化された番組を録画する録画装置全般に広く利用することが可能である。
【図面の簡単な説明】
【００９５】
【図１】本発明の実施の形態１における録画装置のブロック構成図
【図２】ＭＰＥＧ２におけるＴＳストリームのデータ構造を示す図
【図３】ＭＰＥＧ２データの構造を示す図
【図４】アンテナによる受信レベルと、ＡＶデコードエラー数及びＴＤデコードエラー数の相関関係を示す図
【図５】本発明の実施の形態１における録画装置の録画動作の手順を示すフローチャート
【図６】本発明の実施の形態２における録画装置のブロック構成図
【図７】本発明の実施の形態２における録画装置の録画動作の手順を示すフローチャート
【図８】本発明の実施の形態３における録画品質確認画面の一例を示す図
【図９】本発明の実施の形態４における第１の実施例の補完処理の手順を示すフローチャート
【図１０】本発明の実施の形態４における第２の実施例の補完処理の手順を示すフローチャート
【図１１】本発明の実施の形態４における第３の実施例の補完処理の手順を示すフローチャート
【符号の説明】
【００９６】
１００，２００    録画装置
１０１    フロントエンド
１０２    トランスポートデコーダ（ＴＳデコーダ）
１０３    記憶部
１０４    データ制御部
１０５    大容量記憶部（番組蓄積部）
１０６    音声デコーダ（ＡＶデコーダ）
１０７    映像デコーダ（ＡＶデコーダ）
１０８    グラフィックス作成部
１０９    映像合成部
１１０    音声出力部
１１１    映像出力部
１１２    文字図形デコーダ
１１５    アンテナ
１１６    チューナ
１２０    トランスポートストリーム（ＴＳストリーム）
１２１    ＴＳパケット
１２２    ＴＳヘッダ
１２３    ペイロード
１３０    シーケンスレイヤー
１３１    ＧＯＰレイヤー
１３２    ピクチャレイヤー
１３３    スライスレイヤー
１３４    マクロブロックレイヤー
１３５    ブロックレイヤー
３０１    録画品質確認画面
３０２    放送番組情報
３０３    再生画像
３０４    エラー情報テーブル
３０５    再生状態表示欄
３０６    エラー発生時刻欄
３０７    録画エラー情報
３０８    ＡＶデータ置き換え候補欄
【図１】
2010067305.tif 000003
【図２】
2010067305.tif 000004
【図３】
2010067305.tif 000005
【図４】
2010067305.tif 000006
【図５】
2010067305.tif 000007
【図６】
2010067305.tif 000008
【図７】
2010067305.tif 000009
【図８】
2010067305.tif 000010
【図９】
2010067305.tif 000011
【図１０】
2010067305.tif 000012
【図１１】
2010067305.tif 000013